(57)【特許請求の範囲】
【請求項１】
光を出射する発光面を有する光源と、
前記光源が実装される回路基板と、
前記回路基板に設けられ、前記光源の一対の電極のそれぞれを電気的に接続するためのはんだを塗布する領域としての導電性材料からなる、前記電極に対応した一対のランド部と、
前記一対のランド部の夫々から、少なくとも前記回路基板上の配線を保護するカバーレイまでの間に延在する、前記ランド部と一体化した導電性材料からなる一対の引き回し部と、
を備え、
前記一対の引き回し部の夫々には、前記導電性材料が欠落した領域である第１の欠落部が設けられ、
前記一対のランド部の夫々には、前記導電性材料が欠落した領域である第２の欠落部が設けられている、
ことを特徴とする面状照明装置。
【請求項２】
前記第１の欠落部は、前記引き回し部の側端部から形成された切欠きであることを特徴とする請求項１に記載の面状照明装置。
【請求項３】
前記第１の欠落部は、前記一対の引き回し部における対向する側端部から形成された切欠きであることを特徴とする請求項２に記載の面状照明装置。
【請求項４】
前記カバーレイとの境界における前記引き回し部の幅は、前記切欠きによって形成された前記引き回し部の狭幅部の幅よりも広いことを特徴とする請求項２または請求項３に記載の面状照明装置。
【請求項５】
前記カバーレイとの境界における前記引き回し部の幅は、前記ランド部の最大幅よりも広いことを特徴とする請求項１〜４のいずれか一項に記載の面状照明装置。
【請求項６】
前記第１の欠落部は、前記一対の引き回し部に形成された開口であることを特徴とする請求項１に記載の面状照明装置。
【請求項７】
前記第２の欠落部は、前記光源の前記電極に対応して設けられている、
ことを特徴とする請求項１〜６のいずれか一項に記載の面状照明装置。
【請求項８】
前記第２の欠落部は、前記ランド部における対向する側端部から形成された切欠きであることを特徴とする請求項１〜７のいずれか一項に記載の面状照明装置。
【請求項９】
前記第２の欠落部は、前記ランド部に形成された開口であることを特徴とする請求項１〜７のいずれか一項に記載の面状照明装置。
【請求項１０】
前記光源の前記発光面が対向して配置される端面である入射面を有する導光板、
を更に備え、
前記一対の引き回し部は、前記光源を挟んで前記導光板とは反対側に延在することを特徴とする請求項１〜９のいずれか一項に記載の面状照明装置。
【請求項１１】
前記光源の前記発光面が対向して配置される端面である入射面を有する導光板、
を更に備え、
前記カバーレイは、前記光源を挟んで前記導光板とは反対側の領域のみに配置されていることを特徴とする請求項１〜９のいずれか一項に記載の面状照明装置。
【請求項１２】
光を出射する発光面を有する光源と、
前記光源の前記発光面が対向して配置される端面である入射面を有する導光板と、
前記光源が実装される回路基板と、
前記回路基板に設けられ、前記光源の一対の電極のそれぞれを電気的に接続するためのはんだを塗布する領域としての導電性材料からなる、前記電極に対応した一対のランド部と、
前記一対のランド部の夫々から、少なくとも前記回路基板上の配線を保護するカバーレイまでの間に延在する、前記ランド部と一体化した導電性材料からなる一対の引き回し部と、
を備え、
前記一対の引き回し部は、前記光源を挟んで前記導光板とは反対側に延在しており、
前記一対の引き回し部の夫々には、前記導電性材料が欠落した領域である欠落部が設けられている、
ことを特徴とする面状照明装置。
【請求項１３】
光を出射する発光面を有する光源と、
前記光源の前記発光面が対向して配置される端面である入射面を有する導光板と、
前記光源が実装される回路基板と、
前記回路基板に設けられ、前記光源の一対の電極のそれぞれを電気的に接続するためのはんだを塗布する領域としての導電性材料からなる、前記電極に対応した一対のランド部と、
前記一対のランド部の夫々から、少なくとも前記回路基板上の配線を保護するカバーレイまでの間に延在する、前記ランド部と一体化した導電性材料からなる一対の引き回し部と、
を備え、
前記一対の引き回し部は、前記光源を挟んで前記導光板とは反対側に延在しており、
前記一対のランド部の夫々には、前記導電性材料が欠落した領域である欠落部が設けられている、
ことを特徴とする面状照明装置。
【請求項１４】
光を出射する発光面を有する光源と、
前記光源の前記発光面が対向して配置される端面である入射面を有する導光板と、
前記光源が実装される回路基板と、
前記回路基板に設けられ、前記光源の一対の電極のそれぞれを電気的に接続するためのはんだを塗布する領域としての導電性材料からなる、前記電極に対応した一対のランド部と、
前記一対のランド部の夫々から、少なくとも前記回路基板上の配線を保護するカバーレイまでの間に延在する、前記ランド部と一体化した導電性材料からなる一対の引き回し部と、
を備え、
前記一対の引き回し部は、前記光源を挟んで前記導光板とは反対側に延在しており、
前記カバーレイとの境界における前記引き回し部の幅は、前記ランド部の最大幅と同一またはそれよりも広い、
ことを特徴とする面状照明装置。
【請求項１５】
前記カバーレイは、前記光源を挟んで前記導光板とは反対側の領域のみに配置されていることを特徴とする請求項１２〜１４のいずれか一項に記載の面状照明装置。
【発明の詳細な説明】
【技術分野】
【０００１】
本発明は、サイドライト方式の面状照明装置に関する。
【背景技術】
【０００２】
従来、液晶表示パネル等の照明手段として、導光板の側端面に沿って光源を配置してなるサイドライト方式の面状照明装置が知られている。特に、小型で環境適合性に優れた発光ダイオード装置（ＬＥＤ）を光源として用いた面状照明装置は、携帯電話等の小型携帯情報機器の分野を中心に広く採用されている。
【０００３】
近年、この種の面状照明装置に用いられるＬＥＤにおいて、ＬＥＤ本体における実装面上に電極端子を有さず、側面のみに電極端子を設ける技術が提案されている（例えば、特許文献１参照）。このように実装面上に電極端子を有さない構成は、ＬＥＤの低背化を図る上で有効であり、面状照明装置の薄型化に資することになる。
【先行技術文献】
【特許文献】
【０００４】
【特許文献１】特開２０１４−１０７３０７号公報
【発明の概要】
【発明が解決しようとする課題】
【０００５】
しかしながら、実装面上に電極端子を有さないＬＥＤは、実装の難易度が格段に上がってしまう。すなわち、実装面上に電極端子を有さない結果、基板上のランドと電極端子との接触面積が小さくなり、当該ＬＥＤを基板に接続する際に接続不良が発生する可能性が高くなるのである。そして、このことは、はんだ材料のリフロー工程におけるセルフアライメントをより高精度に制御することが必要であることを意味する。
【０００６】
一方、面状照明装置の小型化およびＬＥＤの高密度実装を進めるためには、基板上のランドおよびその周囲の配線を小型化しつつも、強度を確保する必要がある。
【０００７】
本発明は、上記に鑑みてなされたものであって、その目的は、配線の強度確保と発光素子の実装精度とを両立した面状照明装置を提供することにある。
【課題を解決するための手段】
【０００８】
上述した課題を解決し、目的を達成するために、本発明の一態様に係る面状照明装置は、光を出射する発光面を有する光源と、前記光源が実装される回路基板と、前記回路基板に設けられ、前記光源の一対の電極のそれぞれを電気的に接続するためのはんだを塗布する領域としての導電性材料からなる、前記電極に対応した一対のランド部と、前記一対のランド部の夫々から、少なくとも前記回路基板上の配線を保護するカバーレイまでの間に延在する、前記ランド部と一体化した導電性材料からなる一対の引き回し部と、を備え、前記一対の引き回し部の夫々には、前記導電性材料が欠落した領域である第１の欠落部が設けられ、前記一対のランド部の夫々には、前記導電性材料が欠落した領域である第２の欠落部が設けられていることを特徴とする。
【０００９】
また、本発明の一態様に係る面状照明装置は、前記第１の欠落部は、前記引き回し部の側端部から形成された切欠きであることを特徴とする。
【００１０】
また、本発明の一態様に係る面状照明装置は、前記第１の欠落部は、前記一対の引き回し部における対向する側端部から形成された切欠きであることを特徴とする。
【００１１】
また、本発明の一態様に係る面状照明装置は、前記カバーレイとの境界における前記引き回し部の幅は、前記切欠きによって形成された前記引き回し部の狭幅部の幅よりも広いことを特徴とする。
【００１２】
また、本発明の一態様に係る面状照明装置は、前記カバーレイとの境界における前記引き回し部の幅は、前記ランド部の最大幅よりも広いことを特徴とする。
【００１３】
また、本発明の一態様に係る面状照明装置は、前記第１の欠落部は、前記一対の引き回し部に形成された開口であることを特徴とする。
【００１４】
また、本発明の一態様に係る面状照明装置は、前記第２の欠落部は、前記光源の前記電極に対応して設けられていることを特徴とする。
【００１５】
また、本発明の一態様に係る面状照明装置は、前記第２の欠落部は、前記ランド部における対向する側端部から形成された切欠きであることを特徴とする。
【００１６】
また、本発明の一態様に係る面状照明装置は、前記第２の欠落部は、前記ランド部に形成された開口であることを特徴とする。
また、本発明の一態様に係る面状照明装置は、前記光源の前記発光面が対向して配置される端面である入射面を有する導光板を更に備え、前記一対の引き回し部は、前記光源を挟んで前記導光板とは反対側に延在することを特徴とする。
また、本発明の一態様に係る面状照明装置は、前記光源の前記発光面が対向して配置される端面である入射面を有する導光板を更に備え、前記カバーレイは、前記光源を挟んで前記導光板とは反対側の領域のみに配置されていることを特徴とする。
また、本発明の一態様に係る面状照明装置は、光を出射する発光面を有する光源と、前記光源の前記発光面が対向して配置される端面である入射面を有する導光板と、前記光源が実装される回路基板と、前記回路基板に設けられ、前記光源の一対の電極のそれぞれを電気的に接続するためのはんだを塗布する領域としての導電性材料からなる、前記電極に対応した一対のランド部と、前記一対のランド部の夫々から、少なくとも前記回路基板上の配線を保護するカバーレイまでの間に延在する、前記ランド部と一体化した導電性材料からなる一対の引き回し部と、を備え、前記一対の引き回し部は、前記光源を挟んで前記導光板とは反対側に延在しており、前記一対の引き回し部の夫々には、前記導電性材料が欠落した領域である欠落部が設けられていることを特徴とする。
また、本発明の一態様に係る面状照明装置は、光を出射する発光面を有する光源と、前記光源の前記発光面が対向して配置される端面である入射面を有する導光板と、前記光源が実装される回路基板と、前記回路基板に設けられ、前記光源の一対の電極のそれぞれを電気的に接続するためのはんだを塗布する領域としての導電性材料からなる、前記電極に対応した一対のランド部と、前記一対のランド部の夫々から、少なくとも前記回路基板上の配線を保護するカバーレイまでの間に延在する、前記ランド部と一体化した導電性材料からなる一対の引き回し部と、を備え、前記一対の引き回し部は、前記光源を挟んで前記導光板とは反対側に延在しており、前記一対のランド部の夫々には、前記導電性材料が欠落した領域である欠落部が設けられていることを特徴とする。
また、本発明の一態様に係る面状照明装置は、光を出射する発光面を有する光源と、前記光源の前記発光面が対向して配置される端面である入射面を有する導光板と、前記光源が実装される回路基板と、前記回路基板に設けられ、前記光源の一対の電極のそれぞれを電気的に接続するためのはんだを塗布する領域としての導電性材料からなる、前記電極に対応した一対のランド部と、前記一対のランド部の夫々から、少なくとも前記回路基板上の配線を保護するカバーレイまでの間に延在する、前記ランド部と一体化した導電性材料からなる一対の引き回し部と、を備え、前記一対の引き回し部は、前記光源を挟んで前記導光板とは反対側に延在しており、前記カバーレイとの境界における前記引き回し部の幅は、前記ランド部の最大幅と同一またはそれよりも広いことを特徴とする。
また、本発明の一態様に係る面状照明装置において、前記カバーレイは、前記光源を挟んで前記導光板とは反対側の領域のみに配置されていることを特徴とする。
【発明の効果】
【００１７】
本発明に係る面状照明装置は、配線の強度確保と発光素子の実装精度とを両立することができるという効果を奏する。
【図面の簡単な説明】
【００１８】
【図１】図１は、面状照明装置の概略構成を示す断面図である。
【図２】図２は、面状照明装置に用いられる光源の例であるサイドビュー型のＬＥＤの外観図である。
【図３】図３は、面状照明装置に用いられる光源の例であるサイドビュー型のＬＥＤの外観図である。
【図４】図４は、光源を回路基板のランド部に接続した様子を示す概略斜視図である。
【図５】図５は、第１実施形態に係るランド部およびその周囲の配線パターンを示す図である。
【図６】図６は、ランド部に光源がずれて配置されている状態を示す図である。
【図７】図７は、第１の欠落部の形状を例示列挙した図である。
【図８】図８は、第２の欠落部の形状を例示列挙した図である。
【図９】図９は、第２実施形態に係るランド部およびその周囲の配線パターンを示す図である。
【図１０】図１０は、第３実施形態に係るランド部およびその周囲の配線パターンを示す図である。
【発明を実施するための形態】
【００１９】
以下、添付図面を参照しながら、本発明の実施形態に係る面状照明装置を詳細に説明する。なお、以下に説明する実施形態により本発明が限定されるものではない。また、図面は模式的なものであり、各要素の寸法の関係、各要素の比率などは、現実と異なる場合があることに留意する必要がある。図面の相互間においても、互いの寸法の関係や比率が異なる部分が含まれている場合がある。
【００２０】
〔第１実施形態〕
図１は、面状照明装置１０の概略構成を示す断面図である。図１に示すように、面状照明装置１０は、導光板１１と、光源２０と、光源２０が実装される回路基板４０と、を備えている。一般に、面状照明装置１０は、複数の光源２０を備えているが、以下では、複数の光源２０のうち１つに着目して説明を行う。光源２０の周辺構造についても同様である。面状照明装置１０は、以下で説明する光源２０およびその周辺構成を複数個並列的に備えているものと理解すべきである。
【００２１】
導光板１１は、透明材料（例えば、ポリカーボネート樹脂）を用いて上面視矩形状に形成され、光源２０の発光面２２が対向して配置される端面である入射面を有している。光源２０から導光板１１の入射面に入射した光線は、導光板１１内で適切な反射を繰り返して、上面視矩形状である導光板１１が発光体であるかのような面状照明装置１０を形成する。
【００２２】
図１に示される回路基板４０の構成例は、両面フレキシブルプリント回路基板（ＦＰＣ）である。回路基板４０は、ベースフィルム４１の両面に配線層４２が積層され、さらにその配線層４２上に接着剤４３ａを介してカバーレイ４３が積層される構成を基本構成としている。ただし、図１に示されるように、回路基板４０における光源２０等の素子を接続する箇所は、カバーレイ４３によって配線層４２が覆われていない。そして、当該箇所の配線層４２は、表面処理としてメッキ層４２ａが形成されている。配線層４２およびメッキ層４２ａは、共に導電性材料からなり、例えば配線層４２は銅箔によって形成され、メッキ層４２ａはスズや金等の金属メッキによって形成される。図１における、配線層４２にメッキ層４２ａが施されカバーレイ４３から露出した箇所は、後に詳述するランド部に相当し、はんだＳを介して、光源２０の本体２１に形成される端子が当該箇所に接続される。
【００２３】
回路基板４０の構成例として、ベースフィルム４１に白色フィルムを用いることが好ましい。光源２０から出射される光線を効率よく反射し、より多くの光量を導光板１１へ導くためである。このようなベースフィルム４１を形成するために好適な材料の例としては、白色の液晶ポリマーが挙げられる。ただし、白色フィルムは、これに限定されず、例えば、ポリイミド等のフィルム上に、白色部材を塗布してなるものであってもよい。また、当該白色部材は、ベースフィルム４１と配線層４２を接着する接着剤４３ａを兼ねるものであってもよい。カバーレイ４３は、例えばポリイミド等により形成されるフィルムであるが、例えば、接着部材としての機能を兼ねる材料により形成してもよい。
【００２４】
図２および図３は、面状照明装置１０に用いられる光源２０の例であるサイドビュー型のＬＥＤの外観図である。図２は、発光面２２側から見た外観斜視図であり、図３は、裏面側から見た外観斜視図である。
【００２５】
図２および図３に示されるように、光源２０は、略直方体の形状をしており、本体２１の長手側の側面の一つに発光面２２を備えており、本体２１の短手側の側面に一対の電極２３ａ，２３ｂが設けられている。
【００２６】
図４は、光源２０を回路基板４０のランド部に接続した様子を示す概略斜視図である。なお、図４は概略斜視図であり、細部については省略して記載している。特に、ランド部の細部については、後に詳述するものとして、概略形状を記載している。
【００２７】
図４に示されるように、光源２０における一対の電極２３ａ，２３ｂは、はんだＳを介して、一対のランド部５０ａ，５０ｂに接続される。一対のランド部５０ａ，５０ｂは、光源２０を回路基板４０に実装する際に、光源２０の本体２１に設けられた一対の電極２３ａ，２３ｂのそれぞれに対応する位置に形成されており、具体的には、第１の電極２３ａが第１のランド部５０ａに対応し、第２の電極２３ｂが第２のランド部５０ｂに対応している。なお、第１および第２のランド部５０ａ，５０ｂの物理的実体は、図１を参照しながら説明した、カバーレイ４３から露出した配線層４２およびメッキ層４２ａである。つまり、第１および第２のランド部５０ａ，５０ｂは導電体材料から構成されている。
【００２８】
図４に示されるように、光源２０における電極２３ａ，２３ｂは、光源２０の本体２１の短手側の側面に形成されている。したがって、光源２０を回路基板４０に実装する際、一対の電極２３ａ，２３ｂと一対のランド部５０ａ，５０ｂとを接続するはんだＳは、光源２０の本体２１の短手側の側面に及ぶ範囲にまで塗布されている。また、同図に示される光源２０は、サイドビュー型のＬＥＤであり、光源２０を回路基板４０に実装した際、発光面２２が側面を向くように配置される。
【００２９】
図５は、第１実施形態に係るランド部およびその周囲の配線パターンを示す図である。図５に示されるように第１実施形態に係るランド部およびその周囲の配線パターンは左右対称の配線パターンを有している。したがって、左右対称の構成部分の記載は、図面の見易さのため適宜省略している。
【００３０】
図５に示されるように、第１および第２のランド部５０ａ，５０ｂの周囲では、第１のランド部５０ａと第１の引き回し部５１ａとが一体に形成され、第２のランド部５０ｂと第２の引き回し部５１ｂとが一体に形成されている。第１および第２のランド部５０ａ，５０ｂと第１および第２の引き回し部５１ａ，５１ｂとは、同一の導電性材料から構成されているので、物理的に明確に区別することはできない。ここでは、説明を容易にするために、以下のように区別している。
【００３１】
第１および第２のランド部５０ａ，５０ｂとは、光源２０の電極２３ａ，２３ｂを電気的に接続するためのはんだを塗布する領域Ｌ１としての導電性材料とする。一方、第１および第２の引き回し部５１ａ，５１ｂとは、第１および第２のランド部５０ａ，５０ｂの領域Ｌ１から、少なくともカバーレイ４３までの間に延在する領域Ｌ２としての導電性材料とする。なお、はんだを塗布する領域Ｌ１は、個体差が存在する。しかしながら、第１および第２のランド部５０ａ，５０ｂと第１および第２の引き回し部５１ａ，５１ｂとの境界をどこに設定するかは、本発明の作用および効果に影響を与えるものではない。
【００３２】
図５に示されるように、第１および第２の引き回し部５１ａ，５１ｂの夫々には、第１の欠落部５２ａ，５２ｂが設けられている。第１の欠落部５２ａ，５２ｂとは、第１および第２の引き回し部５１ａ，５１ｂの夫々に設けられた導電性材料が欠落した領域である。なお、図５に示された第１の欠落部５２ａ，５２ｂは、それぞれ第１および第２の引き回し部５１ａ，５１ｂの側端部に形成された矩形の切欠きであるが、後に例示するように、第１の欠落部５２ａ，５２ｂの形状はこの形状に限られるものではない。
【００３３】
図５に示される構成例では、カバーレイ４３との境界における第１および第２の引き回し部５１ａ，５１ｂの幅Ｗａは、第１の欠落部５２ａ，５２ｂによって形成された第１および第２の引き回し部５１ａ，５１ｂの狭幅部の幅Ｗｂよりも広い。したがって、カバーレイ４３との境界における第１および第２の引き回し部５１ａ，５１ｂの強度が十分に確保される。結果、応力が集中しやすいカバーレイ４３との境界において、第１および第２の引き回し部５１ａ，５１ｂの断線の虞を少なくすることができる。
【００３４】
図５に示されるように、第１および第２のランド部５０ａ，５０ｂの夫々には、第２の欠落部５３ａ，５３ｂが設けられている。第２の欠落部５３ａ，５３ｂとは、第１および第２のランド部５０ａ，５０ｂの夫々に設けられた導電性材料が欠落した領域である。なお、図５に示された第２の欠落部５３ａ，５３ｂは、それぞれ第１および第２のランド部５０ａ，５０ｂの側端部に形成された矩形の切欠きであるが、後に例示するように、第２の欠落部５３ａ，５３ｂの形状はこの形状に限られるものではない。
【００３５】
図５に示されるように、第１および第２のランド部５０ａ，５０ｂの間には、位置確認用マーク５４ａ，５４ｂが形成されている。この位置確認用マーク５４ａ，５４ｂは、光源２０を接続した際に、光源２０の位置が適切であるか否かを確認するためのものである。
【００３６】
次に、図６を参照しながら、第１の欠落部５２ａ，５２ｂおよび第２の欠落部５３ａ，５３ｂの作用について説明する。図６は、第１および第２のランド部５０ａ，５０ｂに光源２０がずれて配置されている状態を示す図である。
【００３７】
図６に示されるように、第１のランド部５０ａにおいて、光源２０が図面下方向にずれてしまった場合を想定する。領域Ａ付近に塗布されているはんだのセルフアライメント効果は、領域Ｂ付近に塗布されているはんだのセルフアライメント効果よりも大きい。ここで、セルフアライメント効果とは、リフロー工程等におけるはんだの表面張力により、光源２０の位置が修正される効果である。領域Ｂ付近に塗布されているはんだは、第１の欠落部５２ａによって堰き止められる結果、ずれて接続されてしまった光源２０の端部に対する張力が比較的小さい。一方、領域Ａ付近に塗布されているはんだは、第２の欠落部５３ａによって堰き止められる結果、ずれて接続されてしまった光源２０の端部に対する張力が比較的大きい。結果、ずれて接続されてしまった光源２０の端部を適切な位置へ修正するようにセルフアライメント効果が働くことになる。
【００３８】
図７は、第１の欠落部の形状を例示列挙した図であり、図８は、第２の欠落部の形状を例示列挙した図である。
【００３９】
図７に示されるように、第１の欠落部の形状は、引き回し部における対向する側端部に形成された矩形の切欠き以外でも構わない。例えば、例（ｂ）〜（ｄ）のように、切欠きを構成する辺のうちすくなくとも１辺に傾斜を設けた切欠き形状とすることも可能である。また、第１の欠落部の形状は、例（ｅ）のように、開口とすることも可能である。さらに、例（ｆ）のように、第１の欠落部を設ける引き回し部の側端部は、対向する側端部ではなく、背向する側端部であっても構わない。
【００４０】
図８に示されるように、第２の欠落部の形状は、引き回し部における対向する側端部に形成された矩形の切欠き以外でも構わない。例えば、例（ａ），（ｃ），（ｅ），（ｇ），（ｉ）のように、第２の欠落部の形状を開口とすることも可能であり、また、これら開口の形状も矩形や三角形や半円形等の様々な形状を用いることができる。第２の欠落部の形状を切欠とする場合も、例えば、例（ｂ），（ｄ），（ｆ），（ｈ），（ｊ）のように、様々な形状を用いることができる。
【００４１】
〔第２実施形態〕
以下、第２実施形態に係る面状照明装置を説明するが、第２実施形態に係る面状照明装置は、ランド部およびその周囲の配線以外の構成について、第１実施形態と同一の構成とし得る。したがって、以下では、第２実施形態に係るランド部およびその周囲の配線の構成のみを説明し、その他の構成については第１実施形態を参照する。
【００４２】
図９は、第２実施形態に係るランド部およびその周囲の配線パターンを示す図である。図９に示されるように、第１および第２のランド部６０ａ，６０ｂの周囲では、第１のランド部６０ａと第１の引き回し部６１ａとが一体に形成され、第２のランド部６０ｂと第２の引き回し部６１ｂとが一体に形成されている。ここで、第１および第２のランド部６０ａ，６０ｂと第１および第２の引き回し部６１ａ，６１ｂとは、第１実施形態と同様に区別するものとする。
【００４３】
図９に示されるように、第２実施形態では、第１および第２の引き回し部６１ａ，６１ｂにのみ第１の欠落部６２ａ，６２ｂが形成されている。なお、図９に示される第１の欠落部６２ａ，６２ｂは、第１および第２の引き回し部６１ａ，６１ｂにおける対向する側端部から形成された矩形の切欠きであるが、図７に例示列挙したような様々な形状とし得る。
【００４４】
本構成の第１の欠落部６２ａ，６２ｂであっても、カバーレイ４３との境界における第１および第２の引き回し部６１ａ，６１ｂの幅Ｗａは、第１の欠落部６２ａ，６２ｂによって形成された第１および第２の引き回し部６１ａ，６１ｂの狭幅部の幅Ｗｂよりも広い。したがって、カバーレイ４３との境界における第１および第２の引き回し部６１ａ，６１ｂの強度が十分に確保される。結果、応力が集中しやすいカバーレイ４３との境界において、第１および第２の引き回し部６１ａ，６１ｂの断線の虞を少なくすることができる。
【００４５】
また、本構成の第１の欠落部６２ａ，６２ｂであっても、第１および第２のランド部６０ａ，６０ｂに塗布されたはんだが第１および第２の引き回し部６１ａ，６１ｂの方向へ流出することを防ぐ効果を奏する。したがって、本実施形態であっても、ずれて接続されてしまった光源２０の端部を適切な位置へ修正するようにセルフアライメント効果が働くことになる。
【００４６】
なお、本実施形態においても、第１および第２のランド部６０ａ，６０ｂの間には、位置確認用マーク６４ａ，６４ｂが形成されている。この位置確認用マーク６４ａ，６４ｂは、光源２０を接続した際に、光源２０の位置が適切であるか否かを確認するためのものである。
【００４７】
〔第３実施形態〕
以下、第３実施形態に係る面状照明装置を説明するが、第３実施形態に係る面状照明装置は、ランド部およびその周囲の配線以外の構成について、第１実施形態と同一の構成とし得る。したがって、以下では、第３実施形態に係るランド部およびその周囲の配線の構成のみを説明し、その他の構成については第１実施形態を参照する。
【００４８】
図１０は、第３実施形態に係るランド部およびその周囲の配線パターンを示す図である。図１０に示されるように、第１および第２のランド部７０ａ，７０ｂの周囲では、第１のランド部７０ａと第１の引き回し部７１ａとが一体に形成され、第２のランド部７０ｂと第２の引き回し部７１ｂとが一体に形成されている。ここで、第１および第２のランド部７０ａ，７０ｂと第１および第２の引き回し部７１ａ，７１ｂとは、第１実施形態と同様に区別するものとする。
【００４９】
図１０に示されるように、第３実施形態では、第１および第２の引き回し部７１ａ，７１ｂに第１の欠落部７２ａ，７２ｂが形成され、第１および第２のランド部７０ａ，７０ｂに第２の欠落部７３ａ，７３ｂが形成されている。図１０に示される第１の欠落部７２ａ，７２ｂは、第１および第２の引き回し部７１ａ，７１ｂにおける対向する側端部から形成された矩形の切欠きであるが、図７に例示列挙したような様々な形状とし得る。図１０に示される第２の欠落部７３ａ，７３ｂは、第１および第２のランド部７０ａ，７０ｂにおける対向する側端部から形成された矩形の切欠きであるが、図８に例示列挙したような様々な形状とし得る。
【００５０】
図１０に示される第１および第２の引き回し部７１ａ，７１ｂは、それぞれ補助配線７５ａ，７５ｂが設けられている。補助配線７５ａ，７５ｂは、第１および第２の引き回し部７１ａ，７１ｂのいずれかが断線した場合でも、第１および第２のランド部７０ａ，７０ｂに対する通電を確保し、面状照明装置の信頼性を高めるためのものである。補助配線７５ａ，７５ｂは、第１の引き回し部７１ａと第２の引き回し部７２ｂとの間の領域に配置することが好ましい。図１０には図示されないが、先述のように面状照明装置は複数の光源を並列的に備えている。したがって、補助配線７５ａ，７５ｂを第１の引き回し部７１ａと第２の引き回し部７２ｂとの間の領域に配置する方が、面状照明装置における光源の実装密度の観点から好ましい。
【００５１】
図１０に示される構成例では、カバーレイ４３との境界における第１および第２の引き回し部７１ａ，７１ｂの幅Ｗｃは、第１および第２のランド部７０ａ，７０ｂの最大幅Ｗｄよりも広い。したがって、カバーレイ４３との境界における第１および第２の引き回し部７１ａ，７１ｂの強度がさらに十分に確保される。しかも、図１０に示される構成例では、第１および第２の引き回し部７１ａ，７１ｂに補助配線７５ａ，７５ｂが設けられている。したがって、応力が集中しやすいカバーレイ４３との境界において、第１および第２の引き回し部７１ａ，７１ｂの断線の虞を少なくすることができるのみならず、第１および第２の引き回し部７１ａ，７１ｂに断線が発生した場合であっても、第１および第２のランド部７０ａ，７０ｂに対する通電を確保できるという点で、２重の信頼性が確保されている。
【００５２】
なお、本実施形態においても、第１および第２のランド部７０ａ，７０ｂの間には、位置確認用マーク７４ａ，７４ｂが形成されている。この位置確認用マーク７４ａ，７４ｂは、光源２０を接続した際に、光源２０の位置が適切であるか否かを確認するためのものである。
【００５３】
以上、本発明の実施形態について具体的に説明したが、本発明は、上述の実施形態に限定されるものではなく、本発明の技術的思想に基づく各種の変形が可能である。例えば、上述の実施形態において挙げた数値はあくまでも例に過ぎず、必要に応じてこれと異なる数値を用いてもよい。また、上述した各構成要素を適宜組み合わせて構成したものも本発明に含まれる。さらなる効果や変形例は、当業者によって容易に導き出すことができる。
【符号の説明】
【００５４】
１０  面状照明装置
１１  導光板
２０  光源
２１  本体
２２  発光面
２３ａ，２３ｂ  電極
４０  回路基板
４１  ベースフィルム
４２  配線層
４２ａ  メッキ層
４３  カバーレイ
４３ａ  接着剤
５０ａ，５０ｂ，６０ａ，６０ｂ，７０ａ，７０ｂ  ランド部
５１ａ，５１ｂ，６１ａ，６１ｂ，７１ａ，７１ｂ  引き回し部
５２ａ，５２ｂ，６２ａ，６２ｂ，７２ａ，７２ｂ  第１の欠落部
５３ａ，５３ｂ，７３ａ，７３ｂ  第２の欠落部
５４ａ，５４ｂ，６４ａ，６４ｂ，７４ａ，７４ｂ  位置確認用マーク
７５ａ，７５ｂ  補助配線
【図１】
0006366557.tif 000002
【図２】
0006366557.tif 000003
【図３】
0006366557.tif 000004
【図４】
0006366557.tif 000005
【図５】
0006366557.tif 000006
【図６】
0006366557.tif 000007
【図７】
0006366557.tif 000008
【図８】
0006366557.tif 000009
【図９】
0006366557.tif 000010
【図１０】
0006366557.tif 000011